(57)【要約】【課題】配送伝票についてプリンタでの良好な印刷と光学式読取装置での確実な読み取りを行うこと。【解決手段】上紙２０の裏面に粘着層２１を設けた貼付票１１と、上紙２０の裏面に剥離層２２を設けた受領票１２を切取線１３で連接し、台紙３０の表面に粘着層対応領域に剥離層３１を設け、受領票１２の剥離層対応領域に疑似接着層３２を設けることにより、上紙２０と台紙３０の間に空洞部を無くして伝票全体にわたって厚みを均一にし、貼付票１１から切り離した受領票１２の裏面に粘着剤が残らないようにした。【選択図】図４
2008213224.tif 000002
【特許請求の範囲】
【請求項１】
プリンタでの印刷適性を有する上紙と台紙の２枚の用紙で構成され、上紙の裏面に粘着層が設けられた貼付票と、上紙の裏面に剥離層が設けられた受領票が切取線を介して連接されているとともに、台紙の表面には、貼付票の粘着層と対応する領域に剥離層が設けられ、受領票の剥離層と対応する領域に疑似接着層が設けられていることを特徴とする配送伝票。
【請求項２】
上記切取線に沿った周辺部に粘着剤を塗布しない余白部が設けられていることを特徴とする請求項１に記載の配送伝票。
【請求項３】
上記貼付票から切り離し可能な分離票が設けられていることを特徴とする請求項１または２に記載の配送伝票。
【請求項４】
上記分離票は上紙裏面の部分的な領域に粘着層が設けられ、粘着層を除いた残りの領域に疑似接着層が設けられていることを特徴とする請求項３に記載の配送伝票。
【発明の詳細な説明】
【技術分野】
【０００１】
本発明は、通信販売業界や百貨店業界、あるいは運輸業界等で使用される配送伝票に関する。
【背景技術】
【０００２】
従来、例えば通信販売で注文された商品を配送する時に、販売業者は商品を梱包した箱に配送伝票を貼り付けて商品管理を行なっている。そして、配達員は配送伝票に従って商品を配達し、配送伝票から剥がし取った受領票に受取人の捺印かサインをもらい、その受領票を配達記録として配達店に持ち帰るようにしている。また、配達店では配達員が持ち帰った受領票をＯＣＲ等の光学式読取装置で機械読み取りして配達確認処理を行なっているが、このとき受領票に粘着剤が付着していると装置内に貼り付いて紙詰まりを起こしたり、装置の部品を汚したりするので、受領票は粘着剤が残らない構造になっていなければならない。そこで従来は、下記の特許文献に開示されているような構造を採用した配送伝票を作成していた。
【０００３】
特許文献１の配送伝票は、送付伝票部と受取伝票部をミシン目で連接した伝票用紙の裏面に剥離用基紙を貼り合わせて構成されている。そして、送付伝票部については伝票用紙の裏面に粘着剤部分塗布部が設けられ、これと対向する剥離用基紙の表面にシリコン塗布層が設けられている。一方、受取伝票部については伝票用紙と剥離用基紙の両方に粘着剤やシリコンがまったく塗布されておらず、送付伝票部から切り離した受取伝票部に粘着力が残らないようになっている。
【０００４】
特許文献２の配送伝票は、貼付票と配達票をミシン目で連接したラベル用紙の裏面に剥離紙を貼り合わせて構成されている。そして、貼付票については基材の裏面に粘着剤が塗布されており、これと対向する剥離紙は剥離性基材の表面に剥離層が塗布されている。一方、配達票については基材の裏面に粘着剤が塗布されているが、これと対向する剥離紙では剥離性基材の表面に剥離層が塗布されておらず、配達票はラベル用紙と剥離紙が完全に接着されたまま貼付票から切り離されるようになっている。
【０００５】
【特許文献１】実用新案登録第３１２０６３９号公報
【０００６】
【特許文献２】特開２００３−１０８０００号公報
【発明の開示】
【発明が解決しようとする課題】
【０００７】
しかしながら、上述した従来の配送伝票によると次のような問題があった。
【０００８】
特許文献１の配送伝票の場合、受取伝票部では対向する伝票用紙と剥離用基紙が接着されていないので、両紙の間に空洞部が形成される。このため、プリンタでの印刷の際に空洞部によるギャップが原因でトナーが電気的に引き付けられず白抜け等の印字不良が発生することや、空洞部に溜まった空気が断熱層として作用してトナーが溶けず定着不良になることがある。また、その空洞部に物が挟まるとミシン目が破れ、受取伝票部が送付伝票部から脱落してしまう。さらに、受取伝票部は送付伝票部に比べて厚みが薄いので、配送伝票全体の厚みが不均一で通紙が不安定になったり、伝票用紙と剥離用基紙の湿度による伸縮差が原因で空洞部が筒状になり、通紙中に引っかかったりすることもある。
【０００９】
特許文献２の配送伝票の場合、配達票については対向するラベル用紙と剥離紙が完全接着されているので、上記のような空洞部は形成されない。ところが、ラベル用紙の裏面全体に粘着剤が塗布されているため、配送伝票を貼付する際に剥がした剥離紙に粘着剤が転移して残ってしまうことがあり、剥離紙を廃棄する時にいろいろな所に貼り付くので扱いづらい。例えば剥がした剥離紙が床に落ちた場合、床に貼り付いた剥離紙を剥がす作業が面倒になる。また、貼付票から切り離した配達票にもはみ出した粘着剤が若干残ることがあり、配達確認処理の際に光学式読取装置内に貼り付いて紙詰まりを起こしたり、装置の部品を汚して読み取り不良を起こす等、様々なトラブルの原因となる。
【００１０】
そこで、本発明はこのような問題を解決するためになされたものであり、その目的とするところは、プリンタでの良好な印刷ができ、かつ貼付票から切り離した受領票を光学式読取装置で確実に読み取りできるようにした配送伝票を提供することにある。
【課題を解決するための手段】
【００１１】
上記の目的を達成するため、本発明に係る配送伝票は、プリンタでの印刷適性を有する上紙と台紙の２枚の用紙で構成され、上紙の裏面に粘着層が設けられた貼付票と、上紙の裏面に剥離層が設けられた受領票が切取線を介して連接されているとともに、台紙の表面には、貼付票の粘着層と対応する領域に剥離層が設けられ、受領票の剥離層と対応する領域に疑似接着層が設けられていることを特徴とする。
【００１２】
プリンタの種類としては各種考えられるが、本発明では用紙にサーマル層や磁気記録層のような特殊加工を施す必要があるサーマルプリンタや磁気プリンタは対象外である。本発明で対象となるプリンタはレーザープリンタやインクジェットプリンタ等のノンインパクトプリンタであり、このようなノンインパクトプリンタで印刷可能な用紙としては、例えば上質紙、普通紙、再生紙等が挙げられる。
【００１３】
本発明において、貼付票とは、配送伝票のうち商品や荷物に貼り付けてその配達先を表示するための伝票である。一方、受領票とは、配達先で貼付票から切り離し、配達記録として持ち帰って配達確認処理を行うための伝票である。この受領票には配達票や配達票兼受領書のように同じ機能を持つが別名称で呼ばれる伝票も含まれる。
【００１４】
また、上記の構成からなる配送伝票において、商品や荷物に貼り付けた後で貼付票から受領票を確実に切り離せるようにするためには、上記切取線に沿った周辺部に粘着剤を塗布しない余白部が設けられていることが好ましい。
【００１５】
また、上記の構成からなる配送伝票において、上記貼付票から切り離し可能な分離票が設けられていてもよい。この分離票の用途としては、例えば贈答品や慶弔品に貼り付ける熨斗紙として利用することができる。この場合、熨斗紙となる分離票は、上紙裏面の部分的な領域に粘着層が設けられ、粘着層を除いた残りの領域に疑似接着層が設けられているとよい。
【発明の効果】
【００１６】
本発明の配送伝票によれば、受領票の部分も上紙と台紙が疑似接着層を介して剥離可能に疑似接着されているので、上紙と台紙の間に空洞部がなくなり、伝票全体にわたってその厚みがほぼ均一になる。したがって、プリンタでの通紙が安定するとともに、ギャップによる白抜け等の印字不良が起こらず、効率よく熱が伝わってトナーが確実に定着するので、良好な印刷を行えるという効果がある。
【００１７】
また、貼付票から切り離した受領票の裏面は剥離層であり、粘着剤が残らないようになっている。このため、受領票を取り扱い易く、ＯＣＲ等の光学式読取装置で読み取る際にも、装置内で紙詰まりが起こらず安定した搬送が可能になるとともに、装置の部品を汚すこともないので、確実な読み取りを行えるという効果がある。
【００１８】
なお、貼付票から切り離し可能な分離票を設けて熨斗紙として利用すれば、プリンタでの印刷の際に、貼付票と受領票への宛名印刷と同時に熨斗紙への宛名印刷も行えるとともに、伝票とは別に熨斗紙を用意する必要がなく、配送に要する経費を削減できるという効果もある。
【発明を実施するための最良の形態】
【００１９】
以下、本発明の実施形態について、図面を参照しながら説明する。
【００２０】
図１は、本発明に係る配送伝票の第１実施形態を示す外観図である。
【００２１】
図１に示すように、本実施形態の配送伝票１０−１は、通信販売業者や運送業者が配送業務で使用する伝票であり、上紙２０と台紙３０の２枚の上質紙を重ねて貼り合わせることによって表裏面にレーザープリンタやインクジェットプリンタ等のノンインパクトプリンタで印刷できる。配送伝票１０−１には同図のように貼付票１１と受領票１２の２つの伝票が上紙２０の同一面に設定されており、図示した例では上紙２０の左右両側に貼付票１１を配置し、貼付票１１の内側に受領票１２を配置したレイアウトになっている。
【００２２】
貼付票１１は配達する商品や荷物に貼り付けて配達先を表示するための伝票であり、表面に伝票番号記入欄１１ａと配達先記入欄１１ｂが設けられている。それに対し、受領票１２は配達先で貼付票１１から切り離した後持ち帰って配達確認処理を行うための伝票であり、表面に伝票番号記入欄１２ａと、配達先記入欄１２ｂと、捺印欄１２ｃが設けられている。貼付票１１と受領票１２はミシン目による切取線１３を介して切り離し可能に連接されている。なお、受領票１２を切り離す際に摘み易くするため、図のように受領票１２の角部を切り落としたコーナーカット１４が形成されているとよい。
【００２３】
図２は、配送伝票の上紙と台紙の構成を示す平面図である。
【００２４】
図２（ａ）に示すように、上紙２０の裏面には貼付票１１の領域に限定して粘着剤を均一厚みで塗布して乾燥させた粘着層２１が設けられている。粘着剤としては特に紙ラベル用として使用されるアクリル系エマルジョン型粘着剤が好適であり、本実施形態では「ＳＥ−７００１」（昭和高分子株式会社、製品名）を使用している。また、受領票１２の領域には剥離剤を均一厚みで塗布して乾燥させた剥離層２２が設けられている。剥離剤には例えばシリコーンを含有した紫外線硬化型インキを使用することができ、本実施形態では無色透明なオーバープリントニス「ＮＶＲ  ＯＰニス  ＵＰ−２００」（株式会社Ｔ＆Ｋ  ＴＯＫＡ、製品名）を使用している。なお、受領票１２に粘着剤が付着していると貼付票１１から切り離しにくくなり、しかもＯＣＲ等の光学式読取装置で読み取りする際に支障を来たすので、受領票１２の外側には切取線１３に沿った周辺部に粘着剤を塗布しないようにして余白部２３を設けてある。
【００２５】
それに対し、図２（ｂ）に示すように、台紙３０の表面には貼付票１１と対応する領域に剥離剤を均一厚みで塗布して乾燥させた剥離層３１が設けられている。剥離剤にはシリコーン系剥離剤を使用することができ、本実施形態では「シリコン」（信越化学工業株式会社、製品名）を使用している。また、受領票１２と対応する領域には、剥離性を有する感圧性接着剤を均一厚みで塗布して乾燥させた疑似接着層３２が設けられている。本実施形態では感圧性接着剤として天然ゴム系ラテックス「Ａ７００Ｋ−０９」（株式会社レジテックス、製品名）を使用している。なお、台紙３０にはカット加工が一切施されておらず、使用時まで上紙２０の裏面の粘着層２１を保護するための剥離紙として機能する。
【００２６】
図３は、配送伝票の断面図である。
【００２７】
図３に示すように、上記の構成からなる台紙３０の上に上紙２０を重ねて貼り合わせることによって、貼付票１１の位置では上紙裏面の粘着層２１とこれに対向する台紙表面の剥離層３１とが接触しており、両者の境界面で上紙２０と台紙３０が剥離可能に接着されている。これに対し、受領票１２の位置では上紙裏面の剥離層２２とこれに対向する台紙表面の疑似接着層３２とが接触しており、両者の境界面で上紙２０と台紙３０が剥離可能に疑似接着されている。
【００２８】
図４は、配送伝票の使用方法を示す説明図である。
【００２９】
まず、図４（ａ）に示すように、配達業者は商品や荷物などの配送品５０を配達する際に、レーザープリンタやインクジェットプリンタ等の汎用プリンタを使用して配送伝票１０−１の貼付票１１と受領票１２に必要事項を印刷する。具体的には、貼付票１１と受領票１２の伝票番号記入欄１１ａ，１２ａに配送品５０を管理するための同一の伝票番号を印字し、貼付票１１と受領票１２の配達先記入欄１１ｂ，１２ｂにはそれぞれ配達先の住所、氏名、連絡先等を印字する。
【００３０】
ここで、本実施形態の配送伝票１０−１は、貼付票１１の部分は上紙２０と台紙３０が粘着層２１を介して接着され、受領票１２の部分は上紙２０と台紙３０が疑似接着層３２を介して接着されている（図３参照）。したがって、上紙２０と台紙３０の間に空洞部がなくなり、伝票全体にわたってその厚みがほぼ均一となるので、プリンタでの通紙が安定し、正確な紙送りを行うことができる。また、ギャップによる白抜け等の印字不良が発生することがなく、効率よく熱が伝わってトナーが確実に定着するので、良好な印刷が可能になる。
【００３１】
次に、図４（ｂ）に示すように、配達業者は必要事項が印刷された配送伝票１０−１から台紙３０を剥がし取り、その配送伝票１０−１を商品や荷物などの配送品５０に貼り付けるようにする。ここで、裏面に露出した粘着層２１を介して貼り付けることにより、貼付票１１と受領票１２が表側に現れて配達先等の情報を確認できる。
【００３２】
そして、配送品５０を配達し終えたら、図４（ｃ）に示すように貼付票１１から受領票１２を切り離す。受領票１２にはコーナーカット１４が形成されているので、受領票１２の端部を摘み易くなっている。また、受領票１２の裏面は剥離層２２であり商品や荷物には貼り付いていないので、図のように受領票１２を摘んで引き剥がすようにすると、貼付票１１との境界にある切取線１３が切断され、貼付票１１から受領票１２を簡単に切り離すことができる。そして、商品を受取人に手渡した後、切り離した受領票１２の捺印欄１２ｃに受取人の捺印又はサインをもらい、それを配達記録として配達店に持ち帰る。
【００３３】
その後、配達店では、持ち帰った受領票１２をＯＣＲ等の光学式読取装置で読み取りして配達確認処理を行う。このとき、受領票１２の裏面は剥離層２２であり、粘着剤が糊残りしていないので、受領票１２がいろいろな所に貼り付くことがなく扱い易い。また、受領票１２を読取装置で読み取る際に、装置内に貼り付いて紙詰まりを起こすことがなく安定した搬送が可能になるとともに、装置の部品を汚して読み取りに支障を来たすというトラブルも起こらない。
【００３４】
図５は、本発明に係る配送伝票の第２実施形態を示す外観図である。
【００３５】
図５に示すように、本実施形態の配送伝票１０−２は、贈答品や慶弔品の配送用として好適な伝票であって、貼付票１１から切り離し可能な分離票１５を設けたことが特徴である。すなわち、貼付票１１にはミシン目による切取線１６を介して単片状の分離票１５が連接されており、この分離票１５を贈答品や慶弔品の包装紙に貼り付ける熨斗紙として利用したものである。なお、分離票１５を切り離す際に摘み易くするため、図のように分離票の角部を切り落としたコーナーカット１７が形成されているとよい。
【００３６】
図６は、この配送伝票の上紙と台紙の構成を示す平面図である。
【００３７】
図６（ａ）に示すように、上紙２０の裏面には貼付票１１の領域に粘着層２１が設けられ、受領票１２の領域に剥離層２２が設けられている。一方、分離票１５の領域においては上紙２０の上下縁部に沿って部分的に粘着層２１が設けられ、粘着層２１を除いた中央部に感圧性接着剤による疑似接着層２４が設けられている。ここで、粘着剤、剥離剤、感圧性接着剤については第１実施形態と同一のものを使用することができる。
【００３８】
それに対し、図６（ｂ）に示すように、台紙３０の表面には貼付票１１及び分離票１５と対応する領域に剥離層３１が設けられ、受領票１２と対応する領域に感圧性接着剤からなる疑似接着層３２が設けられている。ここでも、剥離剤、感圧性接着剤については第１実施形態と同一のものを使用することができる。
【００３９】
本実施形態の配送伝票１０−２によれば、第１実施形態の配送伝票１０−１と同様の効果が得られるのに加え、プリンタで印刷する際に、貼付票１１と受領票１２へ伝票番号や宛名を印刷するのと合わせて分離票１５の熨斗紙への宛名印刷も同時に行える。また、伝票とは別に熨斗紙を用意する必要がなく、配送に必要な経費を削減できるという効果もある。なお、本実施形態では分離票１５の上下縁部に沿って粘着層２１を設けてあるが、熨斗紙に利用する場合、粘着層２１は上縁部のみに設けてあってもよく、周縁部に沿って設けてあってもよい。
【００４０】
図７は、本発明に係る配送伝票の第３実施形態を示す外観図である。
【００４１】
図７に示すように、本実施形態の配送伝票１０−３は、受領票１２を略中央位置に配置したことが特徴である。すなわち、受領票１２は貼付票１１に囲まれており、受領票１２の輪郭を形成するようにミシン目による切取線１８が設定されている。なお、受領票１２を摘み易くするため、図のように受領票１２の角部を切り落としたコーナーカット１９が形成されている。
【００４２】
図８は、この配送伝票の上紙と台紙の構成を示す平面図である。
【００４３】
図８（ａ）に示すように、上紙２０の裏面には貼付票１１の領域、つまり周縁４辺に沿って粘着層２１が設けられ、これに囲まれた受領票１２の領域に剥離層２２が設けられている。また、受領票１２の外側には切取線１８に沿って粘着剤を塗布しない余白部２３が設けられている。なお、粘着剤と剥離剤については第１実施形態と同一のものを使用することができる。
【００４４】
それに対し、図８（ｂ）に示すように、台紙３０の表面には貼付票１１と対応する領域に剥離層３１が設けられ、受領票１２と対応する領域に感圧性接着剤からなる疑似接着層３２が設けられている。ここでも、剥離剤と感圧性接着剤については第１実施形態と同一のものを使用することができる。
【００４５】
本実施形態の配送伝票１０−３によれば、第１実施形態の配送伝票１０−１と同様の効果が得られるのに加え、受領票１２が貼付票１１に囲まれており、配送伝票１０−３の周縁４辺がすべて配送品５０に接着されるので、浮きが発生せず、配達中に受領票１２が脱落することを未然に防止できるという利点がある。また、本実施形態の配送伝票１０−３について、第２実施形態のような分離票１５による熨斗紙を設けてもよい。
【００４６】
なお、上述した実施形態ではすべて上紙裏面の粘着層２１がベタ印刷によって構成されているが、図９に示すように粘着剤を部分的に塗布した構成を採用することもできる。すなわち、図９（ａ）、（ｂ）及び（ｃ）は、それぞれ第１、第２及び第３実施形態における上紙２０について粘着剤をドットパターン印刷して粘着層２１を形成した例を示すものである。このように粘着剤をドットパターン印刷することによって、粘着層２１の接着力の強弱を調整することが容易になるので、配送伝票や熨斗紙を貼り直し可能な接着力に設定することもできる。
【００４７】
また、第１実施形態では、図３に示したように剥離層２２，３１を広めに塗工することで加工時のずれを吸収するようにしてあるが、これに替えて、図１０に示すように剥離層２２，３１を必要な範囲のみに塗工するようにしてもよい。このことは第２、第３実施形態についても同様である。
【図面の簡単な説明】
【００４８】
【図１】本発明に係る配送伝票の第１実施形態を示す外観図である。
【図２】図１の配送伝票について、（ａ）は上紙を裏側から見た平面図、（ｂ）は台紙を表側から見た平面図である。
【図３】図１の配送伝票のＸ−Ｘ線断面図である。
【図４】図１の配送伝票の使用方法を示す説明図で、（ａ）は配送伝票に印刷した時の状態、（ｂ）は配送伝票から台紙を剥がし取る時の状態、（ｃ）は貼付票から受領票を切り離す時の状態、を示す各説明図である。
【図５】本発明に係る配送伝票の第２実施形態を示す外観図である。
【図６】図５の配送伝票について、（ａ）は上紙を裏側から見た平面図、（ｂ）は台紙を表側から見た平面図である。
【図７】本発明に係る配送伝票の第３実施形態を示す外観図である。
【図８】図７の配送伝票について、（ａ）は上紙を裏側から見た平面図、（ｂ）は台紙を表側から見た平面図である。
【図９】上紙裏面の粘着層の変形例を示す平面図。
【図１０】剥離層の変形例を示す断面図。
【符号の説明】
【００４９】
１０−１、１０−２、１０−３  配送伝票
１１  貼付票
１１ａ  伝票番号記入欄
１１ｂ  配達先記入欄
１２  受領票
１２ａ  伝票番号記入欄
１２ｂ  配達先記入欄
１２ｃ  捺印欄
１３  切取線
１４  コーナーカット
１５  分離票
１６  切取線
１７  コーナーカット
１８  切取線
１９  コーナーカット
２０  上紙
２１  粘着層
２２  剥離層
２３  余白部
２４  疑似接着層
３０  台紙
３１  剥離層
３２  疑似接着層
【図１】
2008213224.tif 000003
【図２】
2008213224.tif 000004
【図３】
2008213224.tif 000005
【図４】
2008213224.tif 000006
【図５】
2008213224.tif 000007
【図６】
2008213224.tif 000008
【図７】
2008213224.tif 000009
【図８】
2008213224.tif 000010
【図９】
2008213224.tif 000011
【図１０】
2008213224.tif 000012